(57)【特許請求の範囲】
【請求項１】
蔓性植物の蔓を這わせる栽培棚と、
前記蔓から生える葉に光を照射する照明と、を備え、
前記栽培棚と前記照明を上下方向に交互に積層配置してなる栽培装置において、
上下に並ぶ栽培棚の一方から他方へ蔓を誘引する紐状又は線状の誘引部材を設けたことを特徴とする栽培装置。
【請求項２】
蔓性植物の蔓を這わせる栽培棚と、
前記蔓から生える葉に光を照射する照明と、を備え、
前記栽培棚と前記照明を上下方向に交互に積層配置してなる栽培装置において、
上下に並ぶ栽培棚の一方から他方へ蔓を誘引する網状、板状又は格子状の誘引部材を設けたことを特徴とする栽培装置。
【請求項３】
蔓性植物の蔓を這わせる栽培棚と、
前記蔓から生える葉に光を照射する照明と、を備え、
前記栽培棚と前記照明を上下方向に交互に積層配置してなる栽培装置において、
上下に並ぶ栽培棚の一方から他方へ蔓を誘引する誘引部材を設けて、前記上下に並ぶ栽培棚と前記誘引部材が側面視概ねコ字状を成すように配置したことを特徴とする栽培装置。
【請求項４】
蔓性植物の蔓を這わせる栽培棚と、
前記蔓から生える葉に光を照射する照明と、を備え、
前記栽培棚と前記照明を上下方向に交互に積層配置してなる栽培装置において、
上下に並ぶ栽培棚の間で蔓を誘引する誘引部材を設けて、前記上下に並ぶ栽培棚と前記誘引部材が側面視概ね九十九折状を成すように配置したことを特徴とする栽培装置。
【請求項５】
前記誘引部材は、垂直方向に対し傾斜又は湾曲していることを特徴とする請求項１乃至４の何れかに記載の栽培装置。
【請求項６】
前記照明とは別に前記誘引部材で誘引した蔓から生える葉に側方から光を照射する側方照明を設けたことを特徴とする請求項１乃至５の何れかに記載の栽培装置。
【請求項７】
蔓性植物の蔓を這わせる栽培棚と、
前記蔓から生える葉に光を照射する照明と、を備え、
前記栽培棚と前記照明を上下方向に交互に積層配置してなる栽培装置において、
前記上下に並ぶ栽培棚の一方から他方へ前記照明の側方を上下方向に跨ぐように伸長した蔓から生える葉に光を照射する側方照明を設けたことを特徴とする栽培装置。
【請求項８】
蔓性植物の蔓を這わせる栽培棚と、
前記蔓から生える葉に光を照射する照明と、を備え、
前記栽培棚と前記照明を上下方向に交互に積層配置してなる栽培装置において、
前記照明の側方を上下方向に跨ぐように配置されて、前記上下に並ぶ栽培棚の一方から他方へ伸長した蔓から生える葉に光を照射する側方照明を設けたことを特徴とする栽培装置。
【請求項９】
前記側方照明は着脱可能であることを特徴とする請求項６乃至８の何れかに記載の栽培装置。
【請求項１０】
前記栽培棚に蔓を這わせる蔓性植物を育成する栽培床を備えることを特徴とする請求項１乃至９の何れかに記載の栽培装置。
【請求項１１】
蔓性植物の蔓を這わせる栽培棚と、前記蔓から生える葉に光を照射する照明と、を上下方向に交互に積層配置し、所定の栽培棚を這わせて伸長させた蔓を、前記所定の栽培棚からその上方又は下方に配置した別の栽培棚へ誘引し、前記別の栽培棚を這わせることを特徴とする栽培方法。
【請求項１２】
蔓性植物の蔓を這わせる栽培棚と、前記蔓から生える葉に光を照射する照明と、を上下方向に交互に積層配置し、所定の栽培棚においてその一端付近から他端へ向けて伸長させた蔓を、前記所定の栽培棚の上方又は下方に配置した別の栽培棚へ誘引して、Ｕターンするように這わせることを特徴とする栽培方法。
【請求項１３】
前記所定の栽培棚から前記別の栽培棚へ伸長する蔓から生える葉に側方から光を照射することを特徴とする請求項１１又は１２に記載の栽培方法。
【請求項１４】
前記所定の栽培棚から前記別の栽培棚に蔓を誘引するための誘引部材を設けることを特徴とする請求項１１乃至１３の何れかに記載の栽培方法。
【請求項１５】
蔓性植物の蔓を這わせる栽培棚と、前記蔓から生える葉に光を照射する照明と、を上下方向に交互に積層配置して、連続した蔓を複数の栽培棚に亘って這わせることを特徴とする栽培方法。
【発明の詳細な説明】
【技術分野】
【０００１】
本発明は、メロン等の蔓性植物栽培に用いる栽培装置及び栽培方法に関する。
【背景技術】
【０００２】
従来、植物工場におけるメロン等の蔓性植物用の栽培装置で、矩形状で網状の栽培棚と、その上方に設けられる照明を上下方向に交互に積層配置し、各栽培棚の脇に苗床を一つずつ設けて栽培棚へ蔓を這わせたり、一つの苗床から伸びる複数の植物の蔓を各栽培棚へ分けて這わせたりする提案がなされている。狭い敷地内でも各栽培棚に這わされる蔓性植物の葉には光が照射され、棚の短手方向の両側から手入れし易いため、生産性を高めることができる（例えば、特許文献１参照。）。
【先行技術文献】
【特許文献】
【０００３】
【特許文献１】特許第６４５８２４６号公報
【発明の概要】
【発明が解決しようとする課題】
【０００４】
上記従来の栽培装置は、各栽培棚に十分な大きさを確保できないと、栽培棚の外側に蔓がはみ出て垂れ下がって想定外の方向に誘引されたり、はみ出た蔓から生える葉に照明の光が照射されなかったりして、適切に育成できないことがある。
【０００５】
本発明は、上記課題に鑑みて、敷地面積が十分な大きさでない場合でもメロン等の蔓性植物を適切に育成できるようにすることを目的とする。
【課題を解決するための手段】
【０００６】
請求項１の発明は、
蔓性植物の蔓を這わせる栽培棚と、
前記蔓から生える葉に光を照射する照明と、を備え、
前記栽培棚と前記照明を上下方向に交互に積層配置してなる栽培装置において、
上下に並ぶ栽培棚の一方から他方へ蔓を誘引する紐状又は線状の誘引部材を設けたことを特徴とする栽培装置
を提供する。  
【０００７】
請求項２の発明は、
蔓性植物の蔓を這わせる栽培棚と、
前記蔓から生える葉に光を照射する照明と、を備え、
前記栽培棚と前記照明を上下方向に交互に積層配置してなる栽培装置において、
上下に並ぶ栽培棚の一方から他方へ蔓を誘引する網状、板状又は格子状の誘引部材を設けたことを特徴とする栽培装置
を提供する。
【０００８】
請求項３の発明は、
蔓性植物の蔓を這わせる栽培棚と、
前記蔓から生える葉に光を照射する照明と、を備え、
前記栽培棚と前記照明を上下方向に交互に積層配置してなる栽培装置において、
上下に並ぶ栽培棚の一方から他方へ蔓を誘引する誘引部材を設けて、前記上下に並ぶ栽培棚と前記誘引部材が側面視概ねコ字状を成すように配置したことを特徴とする栽培装置
を提供する。
【０００９】
請求項４の発明は、
蔓性植物の蔓を這わせる栽培棚と、
前記蔓から生える葉に光を照射する照明と、を備え、
前記栽培棚と前記照明を上下方向に交互に積層配置してなる栽培装置において、
上下に並ぶ栽培棚の間で蔓を誘引する誘引部材を設けて、前記上下に並ぶ栽培棚と前記誘引部材が側面視概ね九十九折状を成すように配置したことを特徴とする栽培装置
を提供する。
【００１０】
請求項５の発明は、
前記誘引部材は、垂直方向に対し傾斜又は湾曲していることを特徴とする請求項１乃至４の何れかに記載の栽培装置
を提供する。
【００１１】
請求項６の発明は、
前記照明とは別に前記誘引部材で誘引した蔓から生える葉に側方から光を照射する側方照明を設けたことを特徴とする請求項１乃至５の何れかに記載の栽培装置
を提供する。
【００１２】
請求項７の発明は、
蔓性植物の蔓を這わせる栽培棚と、
前記蔓から生える葉に光を照射する照明と、を備え、
前記栽培棚と前記照明を上下方向に交互に積層配置してなる栽培装置において、
前記上下に並ぶ栽培棚の一方から他方へ前記照明の側方を上下方向に跨ぐように伸長した蔓から生える葉に光を照射する側方照明を設けたことを特徴とする栽培装置
を提供する。
【００１３】
請求項８の発明は、
蔓性植物の蔓を這わせる栽培棚と、
前記蔓から生える葉に光を照射する照明と、を備え、
前記栽培棚と前記照明を上下方向に交互に積層配置してなる栽培装置において、
前記照明の側方を上下方向に跨ぐように配置されて、前記上下に並ぶ栽培棚の一方から他方へ伸長した蔓から生える葉に光を照射する側方照明を設けたことを特徴とする栽培装置
を提供する。
【００１４】
請求項９の発明は、
前記側方照明は着脱可能であることを特徴とする請求項６乃至８の何れかに記載の栽培装置
を提供する。
【００１５】
請求項１０の発明は、
前記栽培棚に蔓を這わせる蔓性植物を育成する栽培床を備えることを特徴とする請求項１乃至９の何れかに記載の栽培装置
を提供する。
【００１６】
請求項１１の発明は、
蔓性植物の蔓を這わせる栽培棚と、前記蔓から生える葉に光を照射する照明と、を上下方向に交互に積層配置し、所定の栽培棚を這わせて伸長させた蔓を、前記所定の栽培棚からその上方又は下方に配置した別の栽培棚へ誘引し、前記別の栽培棚を這わせることを特徴とする栽培方法
を提供する。
【００１７】
請求項１２の発明は、
蔓性植物の蔓を這わせる栽培棚と、前記蔓から生える葉に光を照射する照明と、を上下方向に交互に積層配置し、所定の栽培棚においてその一端付近から他端へ向けて伸長させた蔓を、前記所定の栽培棚の上方又は下方に配置した別の栽培棚へ誘引して、Ｕターンするように這わせることを特徴とする栽培方法
を提供する。
【００１８】
請求項１３の発明は、
前記所定の栽培棚から前記別の栽培棚へ伸長する蔓から生える葉に側方から光を照射することを特徴とする請求項１１又は１２に記載の栽培方法
を提供する。
【００１９】
請求項１４の発明は、
前記所定の栽培棚から前記別の栽培棚に蔓を誘引するための誘引部材を設けることを特徴とする請求項１１乃至１３の何れかに記載の栽培方法
を提供する。
【００２０】
請求項１５の発明は、
蔓性植物の蔓を這わせる栽培棚と、前記蔓から生える葉に光を照射する照明と、を上下方向に交互に積層配置して、連続した蔓を複数の栽培棚に亘って這わせることを特徴とする栽培方法
を提供する。
【発明の効果】
【００２１】
本発明の栽培装置及び栽培方法によれば、敷地面積が十分な大きさを有しない場合においても積層配置した栽培棚により蔓性植物を適切に育成できる。
【図面の簡単な説明】
【００２２】
【図１】栽培装置を示す斜視図。
【図２】栽培装置でメロンを栽培している状態を示す側面図。
【発明を実施するための形態】
【００２３】
（栽培装置１）
本発明の実施形態に係る栽培装置及び栽培方法を図面参照しながら説明する。栽培装置１は、植物工場等でのメロン栽培に用いられ、図１及び図２に示すように、平面視略矩形状を成す三段（複数）の枠部２１をその四隅を四本の柱部２２で上下方向に間隔をおいて支持することにより形成されて床面に設置される架台２と、架台２の下方（床面）に設置される一台の栽培床３と、栽培床３から伸長するメロンの蔓を這わせる三段（複数）の栽培棚４と、各栽培棚４の上方に設けられて栽培棚４を這う蔓から生える葉に光を照射する上方照明５を備えており、栽培棚４と上方照明５は、架台２に固定支持されて上下交互に積層配置されている。
【００２４】
また、図１及び図２に示すように、上方照明５を挟んで上下に対向する栽培棚４で上下端を支持されて、これらの間に介在することにより一方の栽培棚４から他方の栽培棚４へ蔓を誘引する網状の誘引壁６が設けられている。更に誘引壁６の外側方には、上方照明５とは別に設けられて、誘引壁６に沿って伸びる蔓から生える葉に外側方から光を照射する側方照明７が架台２に支持されている。栽培装置１による栽培方法では、栽培床３から伸長したメロンの蔓を上記のうち何れか所定の栽培棚４に載せ、そこで這わせるように伸長させた蔓を誘引壁６により上方又は下方に配置した別の栽培棚４へ誘引し、また、そこで這わせるように伸長させて育成する。
【００２５】
（架台２）
架台２は、図２に示すように、一段目（最下段）の枠部２１が、栽培床３との間にメロン果実を成長させるために必要な空間を確保できる高さに略水平に設けられており、その上方に二段目及び三段目の枠部２１がそれぞれ下方の枠部２１との間にやはりメロン果実を成長させるために必要な空間をあけて略水平に設けられる。各枠部２１には、図1に示すように、枠部２１において相対向する一組の横断部材を繋ぐように短手方向に延びる架橋部材２３が横方向に間隔をおいて五本（複数本）設けられている。なお、架台２は、その短手方向の幅がその両側から蔓・葉やメロン果実に手が届くように（手入れできるように）設定されている。
【００２６】
（栽培床３）
栽培床３は、架台２の下方に設置される箱状体であり、図２に示すように、植栽したメロンの根が広がる栽培槽３１と、その下方に設けられて養液を貯留する養液タンク３２と、養液タンク３２から栽培槽３１へ養液を供給するコンプレッサ３３を備えてなる。養液は、栽培槽３１内に設置した多数のノズル３４からメロンの根にかかるように噴霧供給されて、栽培槽３１に設けられる排水管３５から養液タンク３２へ戻されることにより循環する。排水管３５は、栽培槽３１の底から上方に突出してその高さを超える養液を養液タンク３２へ排水するオーバーフロータイプであり、栽培槽３１の養液深さを一定に維持する。養液の溶存酸素濃度は養液タンク３２に備えられる不図示のエアレーション装置により一定に保たれている。
【００２７】
（栽培棚４）
栽培棚４は、略矩形状の網状体を、図１及び図２に示すように、架台２に設けられる各枠部２１の下方にそれぞれ一段ずつ略水平となるように四隅を柱部２２に不図示の留め具で固定支持されることにより構成される。栽培棚４は、図２に示すように、その上にメロンの蔓を這わせて支持するための網棚であり、網状体は、その下方に幼果段階の果実を垂れ下げさせることができる程度の大きさの網目と、収穫段階の果実の重量に耐えられる程度の強度を有してなり、例えば合成樹脂製・金属製・天然素材製の紐状体や線状体を編んだり、合成樹脂や金属を網状に一体形成したりしたものである。蔓を這わせて果実を垂れ下げることができれば、網状体の他、開口を形成した板状体、棒材や板材を格子状や並列状に組んだもの、紐状体や線状体を架け渡したものも採用できる。一段の栽培棚は、一体である必要はなく、蔓を連続的に支持できるものであれば複数に分割して形成されていてもよい。
【００２８】
栽培にあたっては、栽培床３から伸長した蔓を、例えば最下段の栽培棚４にその長手方向の一端（図２中の左端）付近から這わせるように載せ、他端（図２中の右端）側に向けて伸長させると共に網目からメロン果実Ｍを垂れ下がらせて育成する。そして、最下段の栽培棚４の蔓が成長して上記一端側から上記他端側付近へ行き着いたら、後述する誘引壁６で上段（二段目）にある別の栽培棚４へ上下方向に誘引し、そこからＵターンするように折り返させて、上記同様に蔓を這わせてメロン果実Ｍを育成する。二段目で蔓が成長して反対側の端付近へ行き着いたら、また同じく誘引壁６で上段（最上段）にある更に別の栽培棚４に誘引して順次、上記同様に育成する。
【００２９】
（上方照明５）
上方照明５は、メロン栽培用の光源となる多数のＬＥＤを備える棒状体であり、ＬＥＤを備える面を下方に向けた状態で、図１及び図２に示すように枠部２１に架け渡された架橋部材２３に支持されている。各ＬＥＤは図示省略された電源及び電源コードで給電されることにより、下方の栽培棚３を這わされる蔓に生えている葉に光を照射して光合成を促進する。なお、後述する誘引壁６により側方を覆われる二段目及び三段目の上方照明５は、誘引壁６に誘引される蔓やそこから生える葉の生育を阻害しないように隙間を確保するため、横方向（図２中の左右方向）に控えられている。
【００３０】
（誘引壁６）
誘引壁６は、略矩形状の網状体であり、図２に示すように、上方照明５を挟んで上下方向に並ぶように配置される二つの栽培棚４の一方から他方へ蔓を誘引するための誘引部材として設置される。この網状体も、栽培棚４に用いられるものと同様の紐状体や線状体を編んだり、金属や合成樹脂を一体形成したりする。網状体の他、開口を形成した板状体、棒材・板材を格子状や並列状に組んだものを採用してもよい。果実を垂下させ易くするため、誘引壁６を真直ぐ上下方向に延ばさずに、垂直方向に対し傾斜又は湾曲させてもよい。勿論、メロン果実を垂下させないことにしても良いし、その場合は蔓を誘引することができて、その誘引した蔓を支持し得る強度を有すれば足りる。
【００３１】
誘引壁６は、栽培棚４と略同幅を成すように形成されており、上述したように横方向に控えた上方照明５を外側方から覆うようにして、上下方向に延びるように設けられ、その上下端を栽培棚４の網状体の端部付近に、針金や結束バンドその他クランプ等の留め具で固定される。これにより、上下二段の栽培棚４とこの間に取り付けられる誘引壁６は側面視で概ねコ字状を成すように設けられ、また、栽培棚４が三段以上になれば、栽培棚４とこの間に取り付けられる誘引壁６は側面視で概ね九十九折状を成すように設けられることになり、これらに沿って一本の連続した蔓が複数の栽培棚及び誘引壁に亘って長く伸長することができ、各栽培棚や誘引壁で果実を育成することができるようになる。
【００３２】
（側方照明７）
側方照明７は、上方照明５と同様にメロン栽培用の光源となる多数のＬＥＤを備える棒状体であり、上方照明５の側方を上下方向に跨ぐように配置される。そして、誘引壁６に誘引されて上方照明５の側方を上下方向に跨ぐように伸びる蔓から生える葉に光に照射するようにＬＥＤを備える面を横方向に向けられた状態で、架台２の枠部２１の外側面に着脱可能に固定支持されている。例えば、図２に示すように枠部２１と側方照明７の双方に着脱可能に嵌合し得る鉤部を設けておく。誘引壁6に沿って伸びる蔓や葉を手入れするときには、図２に一点鎖線で示すように側方照明７を取り外して簡単に作業することができる。なお、図において側方照明７に給電する電源及び電源コードは省略されている。
【００３３】
（上記実施形態の変形例）
上記実施形態では、メロンを育成する場合について説明したが、栽培装置１は、メロン以外の蔓性植物やその果実の育成に用いることとしても良い。上記実施形態では、栽培床３を床面上に設置したが、架台２に栽培床３を支持する棚を設けても良いし、更に架台２にキャスターを取り付けて装置全体を一体的に移動できるようにしても良い。また、栽培床３は、栽培棚４の下方に設けるのでなく、栽培棚４の側方に設けることとしても良い。また、一台の栽培装置に設けられる栽培床は一台に限られるものでなく、例えば栽培棚を四段にして、上二段の栽培棚と下二段の栽培棚にそれぞれ一台ずつ栽培床を設けるなど、栽培棚の段数・空き状況、蔓の育成状況等の事情に応じて適宜変更しても良い。栽培床は地面に設けても良い。なお、上記実施形態では、蔓を下方の栽培棚から下方の栽培棚へ誘引したが、それに限らず、上方の栽培棚から下方の栽培棚へ誘引することにしても良い。
【００３４】
上記実施形態では、栽培棚４と誘引壁６を留め具等で相互に連結させることとしたが、栽培棚４から誘引壁６へ或いは誘引壁６から栽培棚４へ蔓をスムーズに誘引させることができる程度に接近していれば、栽培棚４と誘引壁６の間に隙間があっても差し支えない。例えば誘引壁６を栽培棚４ではなく、架台２又は架台２に設けた支持部材に固定することにより、栽培棚４と誘引壁６が側面視概ねコ字状や側面視概ね九十九折状に配置されるようにしても良い。なお、誘引壁６を固定部位（栽培棚４、架台２、架台２に設けた支持部材等）に対して着脱可能として、蔓の育成状況等の事情に応じて、誘引壁の位置を臨機応変に変更することもできる。また、上記実施形態では、栽培棚４と誘引壁６を別々の網状体で構成したが、これらを一枚の網状体で連続的に形成して側面視概ねコ字形又は側面視概ね九十九折状をなすように折り曲げた状態で支持するようにしても良い。
【００３５】
栽培棚４の間で蔓を誘引する誘引部材としては、誘引壁６のような網状体に限らず、紐状体、線状体、棒状体等を用いても良い。紐状体、線状体、棒状体は一本に限らず二本以上用いても良いし、これらの部材を組み合わせて用いても良い。なお、栽培棚間における誘引部材を設けることなく、人手で蔓を所定の栽培棚からその上方又は下方に配置した別の栽培棚へ導くことにより誘引して、当該別の栽培棚に蔓を絡ませるなどして定着させることにより、そこで蔓を這わせて伸長させる栽培方法を用いることにしても良い。
【００３６】
上記実施形態では、上方照明５と側方照明７は、棒状体で、幅広く光を照射できるようにそれぞれ蔓の伸長方向と同じ方向（水平方向と上下方向）に延びるように複数本を並列に配置したが、例えば蔓の伸長方向と直交する方向に向けて、蔓の伸長方向に所定間隔で複数本配置するようにしても良く、棒状体ではなく面状体としても良い。また、上方照明５と側方照明７は必ずしも栽培装置１と一体的に設ける必要はない。例えば栽培装置は、栽培棚のみを上下方向に積層配置した構成として、栽培装置の周囲に設置した照明で栽培棚を這わされている蔓から生える葉に光を照射することにより光合成を行わせて蔓性植物を育成することとしても良い。
【００３７】
なお、上記実施形態では、栽培装置１は、複数段の枠部２１、柱部２２、架橋部材２３を有してなる架台２に各構成部材を配することにしたが、栽培床３と、栽培棚４と、上方照明５と、誘引壁６（誘引部材）と、側方照明７とを、上記実施形態や上記変形例と同様の相互位置関係で配設することができれば、必ずしも架台２を用いなくても良いし、或いは複数の架台等に分けて支持させるようにしても良い。その他、本発明は、上記実施形態及び上記変形例に限定されるものではなく、発明の要旨を変更しないで適宜変更して適用することが可能である。
【符号の説明】
【００３８】
１  栽培装置
２  架台
３  栽培床
４  栽培棚
５  上方照明
６  誘引壁（誘引部材）
７  側方照明?
【要約】
【課題】  敷地面積が十分な大きさでない場合でもメロン等の蔓性植物を適切に育成できるようにする。
【解決手段】栽培床と、前記栽培床から伸長する蔓性植物の蔓を這わせる栽培棚と、前記蔓から生える葉に光を照射する照明と、を備え、前記栽培棚と前記照明を上下方向に交互に積層配置してなる栽培装置において、上下に並ぶ栽培棚の一方から他方へ蔓を誘引するための誘引部材を設けたことを特徴とする。
【選択図】図２【図１】
0006981702.tif 000002
【図２】
0006981702.tif 000003